(57)【要約】本発明は、コンピュータおよび移動電話の入力方法に関する。この入力方法では、１０のデジタルキーにアレンジされた３６の入力要素と５の単一ストロークのみを利用し、漢字は不要であり、全単語は同一のコード取り出し規則を有している。移動電話では、直接的に関連付けが可能であり、単語を入力できる。いくつかのオプションキーも存在し、複数の縦横ラインの移動オプションが利用できる。英語は自動的に間隔が開けられ、頻繁に使用する単語は１つのキー操作とオプションキーのプレスだけでテキスト入力して表示できる。コンピュータでは漢字の入力は従来モードで実現できるが、入力のスピードアップのためにアスシエーションモードも利用できる。【特許請求の範囲】
【請求項１】
キーボード上で１０個の数字キーまたはアルファベットキーを選定して文字を入力し、１つの漢字またはアルファベットを入力した後、画面上に複数行、複数列の予測される漢字または英単語が表示され、漢字は、字形要素および画数に分けられ、「１、２、３……９、０」の１０個の数字で３６個の文字入力要素および５個の１筆画を表し、
数字キー１の上には１筆画の「一」および文字入力要素「禾・廾」を表示し、
数字キー２の上には文字入力要素「冫・身尺」および１筆画の「▲１▼亅」を表示し、
数字キー３の上には文字入力要素「山皮冖火」および１筆画の「丿」を表示し、
数字キー４の上には文字入力要素「・言垂」および１筆画の「丶」を表示し、
数字キー５の上には文字入力要素「五曲又夕・」および１筆画の「乙」を表示し、
数字キー６の上には文字入力要素「亠虫及・」を表示し、
数字キー７の上には文字入力要素「女月目日」を表示し、
数字キー８の上には文字入力要素「八人車糸兆兼」を表示し、
数字キー９の上には文字入力要素「九工雨金土士」を表示し、
数字キー０の上には文字入力要素「大口」を表示し、
数字キー上の字形要素および１筆画は、互いに入れ替えることも、適切に増減することもでき、
漢字のコード化規則は、字形要素を先に用い、完全にスキップし、筆順に基づき４要素または３要素、５要素を取り、字形要素を使い終わり、字形要素が不足し、字形要素がない場合にのみ１画を用いて、（字形要素後の）１つ目、２つ目、３つ目および最後の１画を取り、字形要素が最後の部分である場合は、最後の１画と同じであり、先に取ってはならず、句読点記号のコード化は、２または０などの１桁のコードとし、１キーで表示され、すべての単語、慣用句の入力規則は同じであり、ある単語をＡＢＣ……Ｎとする場合、入力規則はＡ２Ｎ３であり、すなわち、すべての単語、慣用句は、最初の字の最初の２桁のコードと最後の字の最初の３桁のコードを取り、コードが足りない場合、０を加えるか、最後の桁のコードを加え、Ａ１  Ｎ３、Ａ１  Ｎ４、Ａ１  Ｎ５、Ａ２  Ｎ２、Ａ２  Ｎ３、Ａ２  Ｎ４、Ａ３  Ｎ１、Ａ３  Ｎ２、Ａ３  Ｎ３、Ａ４  Ｎ１、Ａ４  Ｎ２、Ａ５  Ｎ１およびＡ１  Ｂ２  Ｎ、Ａ１  Ｂ３  Ｎ、Ａ１  Ｂ４  Ｎ、Ａ２  Ｂ１  Ｎ、Ａ２  Ｂ２  Ｎ、Ａ２  Ｂ３  Ｎ、Ａ３  Ｂ１  Ｎ、Ａ３  Ｂ２  Ｎ、Ａ４  Ｂ１  Ｎ、Ａ２  Ｂ２  Ｎとし、１つ目、２つ目のコードの最初の２桁および最後の字の最後の桁のコードを取ることもでき、最初の字の最初の２つのコード、２つ目の字の最初の桁のコードおよび最後の字の最後の桁のコードを取る、最初の字の最初の２つのコードおよび２つ目の字の最初の３つのコードを取る、最初の字の最初の２つのコード、２つ目の字の最初の３つのコードおよび最後の字の最後の桁のコードを取る、最初の字の最初の２桁、最後の字の最初の２桁および最後の桁のコードを取ることもでき、規則および字形要素を変更せずに（または字形要素を適切に入れ替え、増減し）、繁体字を入力することができ、繁体、簡体は、それぞれ２つの異なるバージョンに属すか、同じバージョンの２つの異なるシステムとし、システムを選ぶと繁体字を入力することができ、一部のホームページの「中国語を表示、英語の場合は選択」のように、簡体を表示し、繁体が必要な場合に選ぶことができ、または繁体を表示し、簡体が必要な場合に選ぶことができ、簡体、繁体を混在させて表示することもでき、表外漢字コードは、常用漢字よりも１桁または２桁多くし（単語の桁数と同じか、１桁多くする）、単語の後に配列し、つながっている筆画のみを字形要素として構成することができ、２つの字形要素が共用部分を有する場合、画数が多い方を取り、画数が同じである場合は前の方を取り、文字入力を便利にするため、字形要素の変形を設け、この類を表示し、細分の必要はないことを特徴とするコンピュータ・携帯電話入力方法。
【請求項２】
コンピュータにおいては、数字キーを用いて字を選び、下キーで文字入力する（メインキーボード上の数字キーでは字を選ぶことしかできず、下方のＱ、Ｗ……Ｐを用いて入力する）か、数字キーで文字入力し、下キーで字を選び（メインキーボードの数字キーの下方のＱ、Ｗ……Ｐで字を選び、１は１の下、２は２の下……によって、把握しやすい）、テンキーを用いて入力することもでき、
携帯電話においては、マルチインフォメーションディスプレイ（複数行、複数列表示）により、単語を直接入力することができ、単語を予測することもでき、平面選択し（複数行、複数列を動かして選ぶことができ、１行または１列のみにし、動かして選ぶこともできる）、携帯電話上に複数の選択キーを有し、左ファンクションキー、通話キー、＊キー、選択キーの上キー、中キー、下キー、＃キーなどを有し、列数、行数は任意に増減することができ、複数の字、単語を１列で表示し、字、単語は、使用頻度に基づき混合して表示するか、または別々に表示し、最初の字、分類などを省略することができ、列の間に縦線を加えることができ、線を用いないことも１文字間をあけることもでき、動かして選ぶことができるものは、反転表示するか、選定キーを表示するか、またはその他の色、フォントで表すことができ、何の表記もしなくてもよく、選定キーは、字、単語の左側または右側、上側、下側に、秩序だって、または無秩序に任意に配列することができ、選定キーおよび字は同時に表示されるか、先に字が表示され、ＯＫを押した後に選定キーが表示され、表示される字、単語の数が選択キーよりも多い場合、次ページに進んだ後、動かして選ぶことができ、選定キーは増減することができ、選定キーの左、右キー、サイドボタン、数字キーなどで、選択時に使用しないキーは、すべて選定キーとすることができ、左列の選択キーは、左キー、＜、通話、＊キーとすることができ、右列は、上キー、中キー、下キー、＃キーを選択することができ、サイドボタンまたは別のキーで次のページに進む場合、＜、＞をいずれも選定キーとすることができ、ローマ字入力する場合は、０および１にはアルファベットがなく、選定キーとすることができ、５を押した後、５、７、９は使用せず、選択キーなどとすることができ、選定キーは、固定して常用することも、固定せずに任意に選んで用いることもでき、一部を固定することもでき、選定キーの表示画面での位置は固定して変わらないようにすることも、任意に変更することも、一部を変更することもでき、１列のみを動かして選ぶことができるようにすることもでき、可動の列は、左右どちらでもよく、中央でもよく、片側を字にして片側を単語にすることも、字と単語を分けないこともでき、２列表示する場合に、片側を字にして片側を単語にし、最初は左列を字に、右列を単語にし、＜を押して字に切り替え（２列とも字を表示するか、右列は単語のままとする）、＞を押して単語に切り替える（２列とも単語を表示するか、左列は字のままとする）こともでき、１列を可動にするか、複数列を可動にして選ぶことができ、当然、先に字を表示し、字をめくってから単語を表示することも、先に単語を表示した後に字を表示し、左を単語、右を字にすることなどもでき、画面上部は本文領域とし、下部は選択領域とし、横線で分け（線を用いなくてもよい）、本文領域および選択領域を異なる画面に表示することもでき、すなわち全画面を選択領域にし、入力キーを押すと選択領域が表示され、ＯＫキーを押した後に、本文領域を表示させることもでき、本文の編集に戻った後および選択領域に内容がない場合（または随時可能）、＜＞キーを用いてカーソルを左右に移動させ、上下キーを用いてカーソルを上下に移動させ（またはカーソルを動かさず、本文を上下に移動させて、本文を読むことができる）、携帯電話に改行キーを設け、最初の行は自動的に字下げさせ、字下げ不要の場合は削除することができ、各アルファベットの後、各ローマ字の後に、字、単語を表示することができ、同アルファベット、同音節の字は、同じ行または同じ列に表示することができ、複数行、複数列でアルファベット、ローマ字および字、単語を表示することも、字、単語を表示せず、アルファベット、ローマ字のみを表示することもできることを特徴とする請求項１に記載の入力方法。
【請求項３】
英文の入力については、単語をなしているものは前に、単語をなしていないものは後にするか、単語をなしていないものは表示せず、アルファベットが多い単語は１列に表示され、単語自然入力を前に、単語予測入力を後にするか、単語予測入力を前に、単語自然入力を後にし、各部は横線を用いて分け（または線を用いない）、各部（または分けない）で単語のアルファベット数に基づき配列し、少ないものから多いものへ、または多いものから少ないものにすることも、アルファベット順に配列することも、使用頻度に基づき配列することも、高頻度のものを先にして使用頻度に基づき配列することも、高頻度のものを先にしてアルファベット順に配列することも、高頻度のものを先にしてアルファベット数に基づき配列することも、配列方法をそれぞれ異なるようにすることもでき、単語＋１で本文に入れることができ、形予測はアルファベットに基づき単語全体を予測し、意味予測は前文の１単語または複数の単語から単語および連語、慣用句などを予測し、且つ連続して予測し、形予測および意味予測を結合することにより、選択面が拡大され、不要な単語が減少され、１つしか選択するものがない場合、その単語ですべてのアルファベットを打ち込まずに、自動的に画面に表示され、または自動的でなく画面に表示され、単語の後のスペースは自動的に本文に入れられ、再度スペースを入力する必要はなく、さらにスペースを入力すると、１回無効になるか、有効のままになり、句読点はスペースの中に入れ、英文入力方法では、アルファベットを入力することができ、＋１でよく、アルファベットにスペースがない場合、またはある場合、本文に入れられ、ａが単語なのかアルファベットなのかを判定できない場合、スペースをつけるか、またはつけずに、スペースを必要としない場合は削除することができ、または１キーで単語を表示するか、１キーで単語、数字、アルファベットなどを表示し、
携帯電話において、アルファベットの分布を再設定することができ、ａｂを１に、ｃを２に、……ｘｙｚを０にすることができ、句読点は特殊記号の中から分けるか、一緒に合わせることができ、２またはその他のキーに置き、数字、アルファベットなどと一緒に押すと表示され、「アルファベット入力法」、「数字入力法」は設けなくてもよく、アルファベットは、９個の数字だけに分布させることもでき、
コンピュータで英文を入力する場合も、予測を介し、選択することによって本文に入れることができ、選択領域の１行目は実際に入力したアルファベットであり、スペースを押すと本文に入れられるか、実際に入力したものが直接本文にあり、スペースを押した後に句読点を入れることができ、句読点などの記号は直接本文に入れることができ、Ｅｎｔｅｒキー、句読点などのキーを直接押し、選択領域のスペース行の単語、アルファベットなどを本文に入れることができ、下側は予測単語であり、必ずしもすべての単語を予測する必要はなく、一部分だけでよく、横線を用いて若干のグループに分けるか、分けずに、いくつかの選定キーを任意に設けることもでき、コンピュータ上の句読点などの記号をあるキーの上に置き、選択することによって本文に入れることができることを特徴とする請求項１に記載の入力方法。
【請求項４】
携帯電話において、＊は特殊記号を入力し、ワイルドカードキーを兼ね、大文字と小文字を切り替え、＃はスペースを入力するか、スペースキーを設けず、各項は入れ替えることができ、＊もスペースの入力、大文字と小文字の切り替えなどを兼ねることができ、スペース、記号などは随時有効であり、本文に戻って編集しなくても入力することができ、選定キーにする場合は、選択したときにスペース、記号などの入力が無効になり、コンピュータのテンキーで入力することができ、／、＊、−、行頭復帰などを選定キーとして用いるか、数字キーを選定キーとし、用いなくてもよく、入力方法の選択などについては、メニューの形式を用いることができ、ＵＲＬなどの入力は、選定キーを押せばよく、当然マウスでクリックしてもよいことを特徴とする請求項１、２または３に記載の入力方法。
【請求項５】
本発明は、各種文字、ローマ字、およびメニュー選択などの各種状況、並びにその変形に広範に用いられ、コンピュータの文字入力、携帯電話の文字入力、辞書検索、電子メモ帳、繁体字などの各方面に適用されることを特徴とする請求項４に記載の入力方法。
【発明の詳細な説明】
【技術分野】
【０００１】
本発明は、コンピュータ、携帯電話などの文字入力法に関し、具体的には、数字を基礎とした入力方法に関する。
【背景技術】
【０００２】
本発明は、出願人が出願した「全跳三多漢字入力方法」（２００５１００４８３２７７）、「自動スペース英文入力方法」（２００６１００７４４４１１）、「平面選択入力方法」（２００６１０１００４３７８）の３つの出願の基礎の上に設計されたものであり、前記入力方法は、前記３つの出願における入力方法をさらに改善したものである。
【発明の開示】
【発明が解決しようとする課題】
【０００３】
本発明の目的は、軽快に使用できるコンピュータ・携帯電話入力方法を提供することであり、前記入力方法は、簡単で、全面的であり、漢字、英文、数字、記号の入力に適している。
【課題を解決するための手段】
【０００４】
本発明の技術手段は次のとおりである。
【０００５】
キーボード上で１０個の数字キーまたはアルファベットキーを選定して文字を入力し、１つの漢字またはアルファベットを入力した後、画面上に複数行、複数列の予測される漢字または英単語が表示される。
【０００６】
漢字は、字形要素および画数に分けられる。数字キー１の上には１筆画の「一  」および文字入力要素「禾・廾」を表示し、数字キー２の上には文字入力要素「冫・身尺」および１筆画の「▲１▼亅」を表示し、数字キー３の上には文字入力要素「山皮冖火」および１筆画の「丿」を表示し、数字キー４の上には文字入力要素「・言垂」および１筆画の「丶」を表示し、数字キー５の上には文字入力要素「五曲又夕・」および１筆画の「乙」を表示し、数字キー６の上には文字入力要素「亠虫及・」を表示し、数字キー７の上には文字入力要素「女月    目日」を表示し、数字キー８の上には文字入力要素「八人車糸兆兼」を表示し、数字キー９の上には文字入力要素「九工雨金土士」を表示し、数字キー０の上には文字入力要素「大口」を表示し、数字キー上の字形要素および１筆画は、互いに入れ替えることも、適切に増減することもできる。漢字のコード化規則は、字形要素を先に用い、完全にスキップし、筆順に基づき４要素または３要素、５要素を取り、字形要素を使い終わり、字形要素が不足し、字形要素がない場合にのみ１画を用いて、（字形要素後の）１つ目、２つ目、３つ目および最後の１画を取る。字形要素が最後の部分である場合は、最後の１画と同じであり、先に取ってはならない。句読点記号のコード化は、２または０などの１桁のコードとし、１キーで表示される。すべての単語、慣用句の入力規則は同じである。ある単語をＡＢＣ……Ｎとする場合、入力規則はＡ２Ｎ３である。すなわち、すべての単語、慣用句は、最初の字の最初の２桁のコードと最後の字の最初の３桁のコードを取り、コードが足りない場合、０を加えるか、最後の桁のコードを加える。Ａ１Ｎ３、Ａ１Ｎ４、Ａ１Ｎ５、Ａ２Ｎ２、Ａ２Ｎ３、Ａ２Ｎ４、Ａ３Ｎ１、Ａ３Ｎ２、Ａ３Ｎ３、Ａ４Ｎ１、Ａ４Ｎ２、Ａ５Ｎ１およびＡ１Ｂ２Ｎ、Ａ１Ｂ３Ｎ、Ａ１Ｂ４Ｎ、Ａ２Ｂ１Ｎ、Ａ２Ｂ２Ｎ、Ａ２Ｂ３Ｎ、Ａ３Ｂ１Ｎ、Ａ３Ｂ２Ｎ、Ａ４Ｂ１Ｎ、Ａ２Ｂ２Ｎとし、１つ目、２つ目のコードの最初の２桁および最後の字の最後の桁のコードを取ることもでき、最初の字の最初の２つのコード、２つ目の字の最初の桁のコードおよび最後の字の最後の桁のコードを取る、最初の字の最初の２つのコードおよび２つ目の字の最初の３つのコードを取る、最初の字の最初の２つのコード、２つ目の字の最初の３つのコードおよび最後の字の最後の桁のコードを取る、最初の字の最初の２桁、最後の字の最初の２桁および最後の桁のコードを取ることもでき、規則および字形要素を変更せずに（または字形要素を適切に入れ替え、増減し）、繁体字を入力することができる。繁体、簡体は、それぞれ２つの異なるバージョンに属すか、同じバージョンの２つの異なるシステムとし、システムを選ぶと繁体字を入力することができる。一部のホームページの「中国語を表示、英語の場合は選択」のように、簡体を表示し、繁体が必要な場合に選ぶことができ、または繁体を表示し、簡体が必要な場合に選ぶことができ、簡体、繁体を混在させて表示することもできる。表外漢字コードは、常用漢字よりも１桁または２桁多くし（単語の桁数と同じか、１桁多くする）、単語の後に配列する。つながっている筆画のみを字形要素として構成することができ、２つの字形要素が共用部分を有する場合、画数が多い方を取り、画数が同じである場合は前の方を取る。文字入力を便利にするため、字形要素の変形を設け、この類を表示し、細分の必要はない。
【０００７】
コンピュータにおいては、数字キーを用いて字を選び、下キーで文字入力する（メインキーボード上の数字キーでは字を選ぶことしかできず、下方のＱ、Ｗ……Ｐを用いて入力する）か、数字キーで文字入力し、下キーで字を選ぶ（メインキーボードの数字キーの下方のＱ、Ｗ……Ｐで字を選び、１は１の下、２は２の下……によって、把握しやすい）。テンキーを用いて入力することもできる。
【０００８】
携帯電話においては、マルチインフォメーションディスプレイ（複数行、複数列表示）により、単語を直接入力することができ、単語を予測することもできる。平面選択し（複数行、複数列を動かして選ぶことができ、１行または１列のみにし、動かして選ぶこともできる）、携帯電話上に複数の選択キーを有し、左ファンクションキー、通話キー、＊キー、選択キーの上キー、中キー、下キー、＃キーを有する。列数、行数は任意に増減することができ、複数の字、単語を１列で表示する。字、単語は、使用頻度に基づき混合して表示するか、または別々に表示し、最初の字、分類などを省略することができる。列の間に縦線を加えることができ、線を用いないことも１文字間をあけることもできる。動かして選ぶことができるものは、反転表示するか、選定キーを表示するか、またはその他の色、フォントで表すことができ、何の表記もしなくてもよい。選定キーは、字、単語の左側または右側、上側、下側に、秩序だって、または無秩序に任意に配列することができる。選定キーおよび字は同時に表示されるか、先に字が表示され、ＯＫを押した後に選定キーが表示される。表示される字、単語の数が選択キーよりも多い場合、次ページに進んだ後、動かして選ぶことができる。選定キーは増減することができ、選定キーの左、右キー、サイドボタン、数字キーなどで、選択時に使用しないキーは、すべて選定キーとすることができる。左列の選択キーは、左キー、＜、通話、＊キーとすることができ、右列は、上キー、中キー、下キー、＃キーを選択することができる。サイドボタンまたは別のキーで次のページに進む場合、＜、＞をいずれも選定キーとすることができる。ローマ字入力する場合は、０および１にはアルファベットがなく、選定キーとすることができる。５を押した後、５、７、９は使用せず、選択キーなどとすることができる。選定キーは、固定して常用することも、固定せずに任意に選んで用いることもでき、一部を固定することもできる。選定キーの表示画面での位置は固定して変わらないようにすることも、任意に変更することも、一部を変更することもできる。１列のみを動かして選ぶことができるようにすることもできる。可動の列は、左右どちらでもよく、中央でもよく、片側を字にして片側を単語にすることも、字と単語を分けないこともできる。２列表示する場合に、片側を字にして片側を単語にし、最初は左列を字に、右列を単語にし、＜を押して字に切り替え（２列とも字を表示するか、右列は単語のままとする）、＞を押して単語に切り替える（２列とも単語を表示するか、左列は字のままとする）こともでき、１列を可動にするか、複数列を可動にして選ぶことができる。当然、先に字を表示し、字をめくってから単語を表示することも、先に単語を表示した後に字を表示し、左を単語、右を字にすることなどもできる。画面上部は本文領域とし、下部は選択領域とし、横線で分ける（線を用いなくてもよい）。本文領域および選択領域を同時に表示せずに、すなわち全画面を選択領域にし、ＯＫキーを押した後に、本文領域を表示させることもできる。本文の編集に戻った後および選択領域に内容がない場合（または随時可能）、＜＞キーを用いてカーソルを左右に移動させ、上下キーを用いてカーソルを上下に移動させる（またはカーソルを動かさず、本文を上下に移動させて、本文を読むことができる）。携帯電話に改行キーを設け、最初の行は自動的に字下げさせ、字下げ不要の場合は削除することができる。各アルファベットの後、各ローマ字の後に、字、単語を表示することができ、同アルファベット、同音節の字は、同じ行または同じ列に表示することができ、複数行、複数列でアルファベット、ローマ字および字、単語を表示することも、字、単語を表示せず、ローマ字のみを表示することもできる。
【０００９】
英文の入力については、単語をなしているものは前に、単語をなしていないものは後にするか、単語をなしていないものは表示せず、アルファベットが多い単語は１列に表示される。単語自然入力を前に、単語予測入力を後にするか、単語予測入力を前に、単語自然入力を後にする。各部は横線を用いて分け（または線を用いない）、各部（または分けない）で単語のアルファベット数に基づき配列し、少ないものから多いものへ、または多いものから少ないものにすることも、アルファベット順に配列することも、使用頻度に基づき配列することも、高頻度のものを先にして使用頻度に基づき配列することも、高頻度のものを先にしてアルファベット順に配列することも、高頻度のものを先にしてアルファベット数に基づき配列することも、配列方法をそれぞれ異なるようにすることもできる。単語＋１で本文に入れることができる。形予測はアルファベットに基づき単語全体を予測し、意味予測は前文の１単語または複数の単語から単語および連語、慣用句などを予測し、且つ連続して予測する。形予測および意味予測を結合することにより、選択面が拡大され、不要な単語が減少される。１つしか選択するものがない場合、その単語ですべてのアルファベットを打ち込まずに、自動的に画面に表示され、または自動的でなく画面に表示される。単語の後のスペースは自動的に本文に入れられ、再度スペースを入力する必要はない。さらにスペースを入力すると、１回無効になるか、有効のままになる。句読点はスペースの中に入れる。英文入力方法では、アルファベットを入力することができ、＋１でよく、アルファベットにスペースがない場合、またはある場合、本文に入れられる。ａが単語なのかアルファベットなのかを判定できない場合、スペースをつけるか、またはつけずに、スペースを必要としない場合は削除することができる。または１キーで単語を表示するか、１キーで単語、数字、アルファベットなどを表示する。携帯電話において、アルファベットの分布を再設定することができ、ａｂを１に、ｃを２に、……ｘｙｚを０にすることができる。句読点は特殊記号の中から分けるか、一緒に合わせることができ、２またはその他のキーに置き、数字、アルファベットなどと一緒に押すと表示される。「アルファベット入力法」、「数字入力法」は設けなくてもよい。アルファベットは、９個の数字だけに分布させることもできる。
【００１０】
コンピュータで英文を入力する場合も、選択することによって本文に入れることができ、選択領域の１行目は実際に入力したアルファベットであり、スペースを押すと本文に入れられるか、実際に入力したものが直接本文にあり、スペースを押した後に句読点を入れることができ、句読点などの記号は直接本文に入れることができる。Ｅｎｔｅｒキー、句読点などのキーを直接押し、選択領域のスペース行の単語、アルファベットなどを本文に入れることができる。下側は予測単語であり、必ずしもすべての単語を予測する必要はなく、一部分だけでよい。横線を用いて若干のグループに分けるか、分けずに、いくつかの選定キーを任意に設けることもできる。コンピュータ上の句読点などの記号をあるキーの上に置き、選択することによって本文に入れることができる。
【００１１】
携帯電話において、＊は特殊記号を入力し、ワイルドカードキーを兼ね、大文字と小文字を切り替える。＃はスペースを入力するか、スペースキーを設けない。各項は入れ替えることができ、＊もスペースの入力、大文字と小文字の切り替えなどを兼ねることができる。スペース、記号などは随時有効であり、本文に戻って編集しなくても入力することができる。選定キーにする場合は、選択したときにスペース、記号などの入力が無効になる。コンピュータのテンキーで入力することができ、／、＊、−、行頭復帰などを選定キーとして用いるか、数字キーを選定キーとし、用いなくてもよい。入力方法の選択などについては、メニューの形式を用いることができる。ＵＲＬなどの入力は、選定キーを押せばよく、当然マウスでクリックしてもよい。
【００１２】
本発明は、各種文字、ローマ字などの各種方式、およびメニュー選択などの各種状況、並びにその変形、コンピュータの文字入力、携帯電話の文字入力、辞書検索、電子メモ帳、繁体字などの各方面に広範に用いることができる。
【発明の効果】
【００１３】
本発明のコンピュータ、携帯電話の文字入力法は、速度が速いだけでなく、把握しやすく、効率および効果を有効に高めることができ、コンピュータ、携帯電話における文字処理に非常に適している。
【００１４】
本発明の入力方法の漢字コード化は、規則が簡単で、字形要素が少なく、学びやすく使いやすい。多くが筆順、画数、文字コードとは無関係であり、字形要素さえ把握すればよい。同じ数字のものがすくなく、３５００の常用漢字でページをめくり検索する必要がない。
【００１５】
携帯電話においては、複数行、複数列で動かして選ぶことができれば、効果は当然最も優れている。１列で動かして選ぶことができることも悪くはない。例えば、左ファンクションキー、選択上、中、下キー、通話キーの５つを選定キーとして固定して用い、弧線をまっすぐに引っ張るように、１列に配列し、画面上の可動列に対応させる。こうすることによって、表記を行わなくても把握が可能であることはすぐに理解できる。さらに、１０個の数字キーで文字を入力し、同じ数字のものが少なく、５×１０個の高頻度文字があり、１＋１でよい。且つ、情報量が大きく、単語を直接予測し、入力することができ、クリック回数を大幅に減らすことができる。速度が速く、時間を節約できるだけでなく、「非常に爽快」な感覚がある。
【００１６】
英文の自動スペースは、予測入力を用いることができ、高頻度のものが先に表示され、１キーで表示されるため、クリック回数を大幅に減らすことができる。
【発明を実施するための最良の形態】
【００１７】
次に、実例と合わせて本発明についてさらに説明する。
【００１８】
この修辞手法を文字入力に用いると、漢字のいかなる部分もその字を表すために借用することができる。統一し、一意性をもたせるため、次のとおり規定する。
【００１９】
一、１０個の数字で３６個の文字入力要素および５個の１筆画を表す。（必要に応じて
互いに入れ替え、または適切に増減することができる）
────────────────────────────────────
【００２０】
【表１】
2009522625.tif 000002
字形要素（例えば、土）とは、（「土」を代表例として）１種類の部材をいい、形状が似ており、構成する筆画の名称、数量が同じである。（  ）の中の変形は、文字入力を便利にするために設けたものであり、この種類はいずれも当てはまることを表し、これをさらに細分する必要はない。例：土（士）
注意：１、字形要素は連続して書き終わるものとする。例えば、田には「土」はあるが、「日、口」はない。
【００２１】
２、２つの字形要素が共用部分を有する場合、画数が多い方を取り、画数が同じである場合は前の方を取る。例えば、告には「土」はあるが、「」はない。
【００２２】
二、コード化規則
１、字形要素を先に用い、筆順に基づき４要素または３要素、５要素を取る。例：載９９１８  豁３０８８
２、字形要素を使い終わった場合にのみ、１画を用い、（字形要素後の）１つ目、２つ目、３つ目および最後の１画を取る。字形要素が最後の部分である場合は、最後の１画と同じであり、先に取ってはならない。例：  ・４３５４（字形要素がないため１画を用いる）  海２８６４  愛４３１５  船６４３０  察３５４８  条５１２８  国９４１  点０８４４  該４６５８  曹５７  当４５１１  舞８１５２  勤１０９３  果７１２８  悟２５０  我６５３４  撃１１３  重７９  人８
誤入力許容コード、ワイルドカードキーを設けることも、設けないこともできる。「我、為、国」などの高頻度の字は１キーで表示され、１＋１で入力される。
【００２３】
句読点記号のコード化は、２または０などの１桁のコードとし、１キーで表示される。
【００２４】
すべての単語の入力規則が同じであることが、本方法の特徴である。
【００２５】
ある単語をＡＢＣ……Ｎとする場合、入力規則はＡ２  Ｎ３である。すなわち、すべての単語、慣用句は、最初の字の最初の２桁のコードと最後の字の最初の３桁のコードを取る。例：
和諧社会（調和のとれた社会）１０８１１  唯一０６１００（コードが足りないため、０を加える）または人・（人間関係）８８５２１（コードが足りないため、同字の最後の桁を加える）
Ａ１  Ｎ３、Ａ１  Ｎ４、Ａ１  Ｎ５、Ａ２  Ｎ２、Ａ２  Ｎ３、Ａ２  Ｎ４、Ａ３  Ｎ１、Ａ３  Ｎ２、Ａ３  Ｎ３、Ａ４  Ｎ１、Ａ４  Ｎ２、Ａ５  Ｎ１およびＡ１  Ｂ２  Ｎ（１つ目、２つ目の字の最初の２桁および最後の字の最後の桁のコード）、Ａ１  Ｂ２  Ｎ、Ａ１  Ｂ３  Ｎ、Ａ１  Ｂ４  Ｎ、Ａ２  Ｂ１  Ｎ、Ａ２  Ｂ２  Ｎ、Ａ２  Ｂ３  Ｎ、Ａ３  Ｂ１  Ｎ、Ａ３  Ｂ２  Ｎ、Ａ４  Ｂ１  Ｎとすることも、
最初の字の最初の２桁、最後の字の最初の２桁および最後の桁のコードとすることもできる。
【００２６】
規則および字形要素を変更せずに（または字形要素を適切に入れ替え、増減し）、繁体字を入力することができる。繁体、簡体は、それぞれ２つの異なるバージョンに属す。または、同じバージョンの２つの異なるシステムとし、システムを選ぶと繁体字を入力することができる。一部のホームページの「中国語を表示、英語の場合は選択」のように、簡体を表示し、繁体が必要な場合に選ぶことができ、または繁体を表示し、簡体が必要な場合に選ぶことができる。簡体、繁体を混在させて表示することもできる。
【００２７】
表外漢字コードは、５桁または６桁、７桁とし（単語の桁数と同じか、１桁多くする）、単語の後に配列する。コード化規則は、４桁により類推する。
【００２８】
字で予測することも、単語で予測することもでき、何度も連続して予測することができる。例えば、「為／人民／服務（人民のために奉仕する）」は、「為」によって「人民」が予測され（字で予測）、さらに「人民」によって「服務」が予測され（単語で予測）、２回連続で続けて予測される。
【００２９】
三、文字入力方法
コンピュータにおいては、数字キーを用いて字を選び、下キーで文字入力する。メインキーボード上の数字キーでは字を選ぶことしかできず、下方のＱ、Ｗ……Ｐを用いて入力する。オルガンを初めて練習する人が、対応する鍵盤の上方に１、２、３と書くのと同じである。
【００３０】
または、数字キーで文字入力し、下キーで字を選ぶ。メインキーボードの数字キーの下方のＱ、Ｗ……Ｐで字を選び、１は１の下、２は２の下……によって、把握しやすい。
テンキーを用いて片手で入力することもできる。
────────────────────────────────────
【００３１】
【表２】
2009522625.tif 000003
携帯電話においては、マルチインフォメーションディスプレイ（複数行、複数列表示）
により、単語を直接入力することができ、単語を予測することもできる。例えば、「大」を選んで入力した後、予測文字、単語が表示される。（表１）
平面選択する（複数行、複数列を動かして選ぶことができ、１行または１列のみにし、動かして選ぶこともできる）。携帯電話上に複数の選択キーを有し、左ファンクションキー、通話キー、＊キー、選択キーの上キー、中キー、下キー、＃キーを有する。「的（大きい）」を用いる場合は左ファンクションキーを押し、「大張旗鼓（鳴り物入り）」を用いる場合は通話キーを押し、「大会」を用いる場合は＊キーを押し、「大方（気前がよい）」を用いる場合は選択キーの上キーを押し、「大奨（大賞）」を用いる場合は選択キーの下キーを押し、「大衆化」を用いる場合は＞を押して次ページに進み、表２を表示してから、中キーを押す。
【００３２】
列数、行数は任意に増減することができ、複数の字、単語を１列で表示する。字、単語は、使用頻度に基づき混合して表示するか、または別々に表示し、表３のようにすることができる。最初の字、分類などを省略する。列の間に縦線を加えることができ、線を用いない（表２）ことも１文字間をあける（表３）こともできる。
【００３３】
動かして選ぶことができるものは、反転表示するか、選定キーを表示するか、またはその他の色、フォントで表すことができ、何の表記もしなくてもよい。選定キーは、字、単語の左側または右側、上側、下側に、秩序だって、または無秩序に任意に配列することができる。選定キーおよび字は同時に表示されるか、先に字が表示され、ＯＫを押した後に選定キーが表示される。
【００３４】
表示される字、単語の数が選択キーよりも多い場合、次ページに進んだ後、動かして選ぶことができる。例えば、表３の左、中列は選ぶことができ、右列は選ぶことができないように設定し、「自然」を用いる場合には＜を押して、左列にしてから選ぶことができるようにする。表６では、表示されたものをすべて選ぶことができる。
【００３５】
選定キーは増減することができ、選定キーの左、右キー、サイドボタン、数字キーなどで、選択時に使用しないキーは、すべて選定キーとすることができる。例えば、＞だけを用いて次ページに進む場合、＜を選定キーとする。こうすることによって、表１を４行とすることができ、左列の選択キーは、左キー、＜、通話、＊キーとすることができ、右列は、上キー、中キー、下キー、＃キーを選択することができる。サイドボタンまたは別のキーで次のページに進む場合、＜、＞をいずれも選定キーとすることができる。ローマ字入力する場合は、０および１にはアルファベットがなく、選定キーとすることができる。５を押した後、５、７、９は使用せず、選択キーなどとすることができる（表４）。「軍」を用いる場合は、＃を押せばよい。「・」を用いる場合は、さらに３を押すと、表５が表示され（このとき、２、３、８も使用しないため、選定することができる）、１を押すと、表６が表示され、５を押せばよい。当然、表４のときに１を押してからその他のキーを押してもよい。
【００３６】
【表３】
2009522625.tif 000004
選定キーは、固定して常用することも、固定せずに任意に選んで用いることもでき、一部を固定することもできる。例えば、左ファンクションキーを常に選定キーとして固定することも、用いないこともでき（表５では用いられていない）、表５には＃はなく、表６では＃が用いられている。選定キーの表示画面での位置は固定して変わらないようにすることも、任意に変更することも、一部を変更することもできる。例えば、表５では５が右上にあるが、表６では５が左下にある。
【００３７】
１列のみを動かして選ぶことができるようにすることもできる（表８）。「的」を用いる場合は左ファンクションキーを押し、「大張旗鼓（鳴り物入り）」を用いる場合は上キーを押し、「大度（度量が大きい）」を用いる場合は下キーを押し、「大概（たぶん）」を用いる場合は通話を押し、「大有作為（大いに力を発揮する）」を用いる場合は＊キーを押し、「大海撈針（大海に落ちた針をさらい捜すように実現不可能なこと）」を用いる場合は＃キーを押し、「大奨（大賞）」を用いる場合は＜を押して（可動の左列に進む）表９を表示してから、中キーを押す。
【００３８】
可動の列は、左右どちらでもよく、中央でもよく（表３に設定）、片側を字にして片側を単語にすることも、字と単語を分けないこともできる。２列表示する場合に、片側を字にして片側を単語にし、最初は左列を字に、右列を単語にし、＜を押して字に切り替え（２列とも字を表示するか、右列は単語のままとする）、＞を押して単語に切り替える（２列とも単語を表示するか、左列は字のままとする）こともでき、１列を可動にするか、複数列を可動にして選ぶことができる。当然、先に字を表示し、字をめくってから単語を表示することも、先に単語を表示した後に字を表示し、左を単語、右を字にすることなどもできる。
【００３９】
【表４】
2009522625.tif 000005
画面上部は本文領域とし、下部は選択領域とし、横線で分ける（線を用いなくてもよい）。本文領域および選択領域を異なる画面に表示することもでき、すなわち全画面を選択領域または本文領域にすることもできる。入力キーを押すと選択領域が表示され、ＯＫキーを押した後に本文領域が表示される。本文の編集に戻った後および選択領域に内容がない場合（または随時可能）、＜＞キーを用いてカーソルを左右に移動させ、上下キーを用いてカーソルを上下に移動させる（またはカーソルを動かさず、本文を上下に移動させて、本文を読むことができる）。中キーは改行キーとし、最初の行は自動的に字下げさせ、字下げ不要の場合は削除することができる。
【００４０】
表４、５は、各アルファベットの後、各ローマ字の後に、字、単語を表示することができ、同アルファベット、同音節の字は、同じ行または同じ列に表示することができることをさらに説明している。表５Ａのように、複数行、複数列でアルファベット、ローマ字および字、単語を表示することもできる。字、単語を表示せず、音節、アルファベットのみを表示することもでき、表１０は英文表示と同様にローマ字を表示している。
【００４１】
上の表１は、字での予測であったが、単語での予測の方が実際の状況に合っている。例えば、「為人民服務（人民のために奉仕する）」は、「民」を選んだ後、字での予測では「民衆、民族」などが予測され、「民服務」は予測されない。単語（人民）で予測したものには、表７に示すように、「服務」があり、「人民衆、人民族」などはありえない。前文の１単語または複数の単語から予測し、予測を続けることによって、迅速さと便利さを実現する。例えば、中央／人民／広播電台（ラジオ局）の最後の６文字は、２回キーを押すだけでよい。
【００４２】
四、英文の場合、さらに次のことを行なうことができる
単語をなしているものは前に、単語をなしていないものは後にするか、単語をなしていないものは表示しない。例えば、９３７と押すと、表１０が表示され（ｙｅｓ、または９を押すと表示されるか、９３を押すと表示される）、アルファベットが多い単語は１列に表示される。
【００４３】
単語自然入力を前に、単語予測入力を後にするか、単語予測入力を前に、単語自然入力を後にする。各部は横線を用いて分ける（または線を用いない）。各部（または分けない）で単語のアルファベット数に基づき配列し、少ないものから多いものへ、または多いものから少ないものにすることも、アルファベット順に配列することも、使用頻度に基づき配列することも、高頻度のものを先にして使用頻度に基づき配列することも、高頻度のものを先にしてアルファベット順に配列することも、高頻度のものを先にしてアルファベット数に基づき配列することも、配列方法をそれぞれ異なるようにすることもできる。
【００４４】
単語＋１でよい。例えば、ｙｅｓを用いる場合（表１０）、左ファンクションキーを１回押すと本文に入れることができる。ｙｅｓｔｅｒｄａｙを用いる場合、９３７８を押すと、表１１が表示される（または１キーで表示される）。ここでは、「形予測」（アルファベットに基づき単語全体を予測する）を用いているが、他にも「意味予測」（前文の１単語または複数の単語から単語および連語、慣用句などを予測する）があり、且つ連続して予測する。例えば、Ｔｈａｔ  ｉｓ  ａ  ｂｏｏｋ．は、ｔｈａｔからｉｓ  ａが予測され、さらにｉｓ  ａからｂｏｏｋが予測される（表１２）。ｂを押すと、形予測でｄｅｓｋなどが排除され、ｂで始まる単語に変わり、形予測および意味予測が結合される。このようにして、選択面が拡大され、不要な単語が減少される。１つしか選択するものがない場合、その単語ですべてのアルファベットを打ち込まずに、自動的に画面に表示される。（ｂで始まる名詞がｂｏｏｋしかないように設定した場合、ｂを押すとｂｏｏｋが画面に表示される）。または自動的でなく画面に表示される。
【００４５】
【表５】
2009522625.tif 000006
単語の後のスペースは本文に入れられる。表１２のように、ａの後のスペースは選定キーを押すだけで入れられ、再度スペースを入力する必要はない。続けてスペースを押す場合、１回無効（または有効のまま）となり、ｂｏｏｋ後の句点はスペース内に置く。
【００４６】
英文入力法において入力可能なアルファベットについて、+１となり、アルファベットの後ではない（または後の）スペースは本文に入れられ、ａが単語なのかアルファベットなのかを判定できない場合、スペースをつけ（またはつけない）、スペースを必要としない場合は削除することができる。または１キーで単語を表示するか、１キーで単語、数字、アルファベットなどを表示する。例えば、９を押すと、ｙｅｓと表示される。
【００４７】
携帯電話において、アルファベットの分布を再設定することができる。例えば、ａｂを１に、ｃを２に、……ｘｙｚを０にすることができる。句読点は特殊記号の中から分け、（または一緒に合わせ）、２またはその他のキーに置き、数字、アルファベットなどと一緒に押すと表示される。例えば、表１５は、数字の２を用いる場合は左ファンクションキーを押せばよい。こうすることによって、「アルファベット入力法」、「数字入力法」を設けなくてもよい。アルファベットは、９個の数字だけに分布させることもできる。例えば、０キーにはアルファベットを設けず、句読点の入力、大文字と小文字の切り替えなどの専用とする。
【００４８】
コンピュータで英文を入力する場合も、選択することによって本文に入れることができる。例えば、表１３はコンピュータの選択領域であり、１行目は実際に入力したアルファベットであり、スペースを押すと本文に入れられる（または、実際に入力したものが直接本文にある）。スペースを押した後に句読点を入れることができる（句読点などの記号は直接本文に入れることができる）。Ｅｎｔｅｒキー、句読点などのキーを直接押し、選択領域のスペース行の単語、アルファベットなどを本文に入れることができる（選択に慣れない場合、従来と同じとする）。下側は予測単語であり、必ずしもすべての単語を予測する必要はなく、一部分だけでよい。例えば、常用単語、ある学問の単語などである。横線を用いて若干のグループに分け（または、分けない）、いくつかの選定キーを任意に設けることもできる。例えば、表１４は意味予測であり、「３、４、７、８」だけを用いて選定キーとする。または、コンピュータ上の句読点などの記号をあるキーの上に置き、選択することによって本文に入れることができる。
【００４９】
五、その他
携帯電話において、＊は特殊記号を入力し、ワイルドカードキーを兼ね、大文字と小文字を切り替える。＃はスペースを入力するか、スペースキーを設けない（各項は入れ替えることができ、例えば、＊はスペースの入力、大文字と小文字の切り替えなどを兼ねることができる）。スペース、記号などは随時有効であり、本文に戻って編集しなくても入力することができる（選定キーにする場合は、選択したときにスペース、記号などが無効になる）。つまり、この方法は、柔軟に応用することができ、必要に応じてその中の内容を変換し、選択する。携帯電話上のものをコンピュータに用いることができ、逆もでき、各方面で可能である。
【００５０】
高頻度が先、予測入力などの上記の方法は、各種文字、ローマ字などの各種方式、およびメニュー選択などの各種状況、並びにその変形に適用される。例えば、ａ、コンピュータのテンキーで入力することができ、／、＊、−、行頭復帰などを選定キーとして用いるか、数字キーを選定キーとする（用いなくてもよい）。ｂ、入力方法の選択などについては、メニューの形式を用いることができる。ｃ、ＵＲＬなどの入力は、表１３のように、選定キーを押せばよく、当然マウスでクリックしてもよい。
【国際調査報告】
2009522625.tif 000007
2009522625.tif 000008
2009522625.tif 000009
2009522625.tif 000010